(57)【特許請求の範囲】
【請求項１】
被検部位を接触させる接触部と、
被検者を特定可能な、前記被検者の生体に関する特定情報を記憶する記憶部と、
前記被検者を認証する、前記被検者の生体に関する認証情報を、前記被検部位から取得する認証センサと、
測定光を射出する第１光源と、
前記被検部位からの前記測定光の第１散乱光を受光する第１受光部と、
前記第１受光部の出力に基づいて生体情報を生成する生体情報生成部と、
制御部と、
検出光を照射する第２光源、及び前記被検部位からの前記検出光の第２散乱光を受光する第２受光部、を有し、前記第２散乱光に基づいて、前記被検部位と前記接触部との接触状態に関する接触情報を取得する近接センサと、
を備え、
前記制御部は、前記認証情報が前記特定情報に一致し、かつ、前記接触情報に基づき、前記被検部位が前記接触部に接触していると判断した場合に、前記第１光源から前記測定光を射出させる、
測定装置。
【請求項２】
前記制御部は、前記生体情報生成部が生成した前記生体情報を、前記認証情報により特定される前記被検者に対応付けて、前記記憶部に記憶させる、請求項１に記載の測定装置。
【請求項３】
前記制御部は、前記接触情報に基づき、前記被検部位が前記接触部から離れたと判断した場合、前記第１光源からの前記測定光の射出を停止させる、請求項１又は請求項２に記載の測定装置。
【請求項４】
前記生体情報は、血流に関する情報を含む、請求項１乃至請求項３のいずれか一項に記載の測定装置。
【請求項５】
前記認証情報は、静脈パターンに関する情報を含む、請求項１乃至請求項４のいずれか一項に記載の測定装置。
【請求項６】
当該測定装置の筐体端から筐体中央に向かって、前記認証センサと前記第１受光部とが順に配置されている、請求項１乃至請求項５のいずれか一項に記載の測定装置。
【請求項７】
当該測定装置の筐体端に沿って、前記認証センサと前記第１受光部とが配置されている、請求項１乃至請求項５のいずれか一項に記載の測定装置。
【請求項８】
前記接触部は、前記測定光に対して透明な部材により構成される、請求項１乃至請求項７のいずれか一項に記載の測定装置。
【請求項９】
被検部位を接触部に接触させて生体情報を測定するにあたり、
被検者を特定可能な、前記被検者の生体に関する特定情報を記憶するステップと、
前記被検者を認証する、前記被検者の生体に関する認証情報を、前記被検部位から取得するステップと、
検出光を照射し、前記被検部位から受光した前記検出光の第２散乱光に基づいて、前記被検部位と前記接触部との接触状態に関する接触情報を取得するステップと、
前記接触情報に基づき、前記被検部位が前記接触部に接触しているか否かを判断するステップと、
前記認証情報が前記特定情報に一致し、かつ、前記被検部位が前記接触部に接触していると判断した場合に、前記接触部に接触する前記被検部位に測定光を射出するステップと、
前記被検部位からの前記測定光の第１散乱光を受光するステップと、
前記第１散乱光に基づいて前記生体情報を生成するステップと
を含む測定方法。
【発明の詳細な説明】
【技術分野】
【０００１】
本発明は、測定装置及び測定方法に関する。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【先行技術文献】
【特許文献】
【０００３】
【特許文献１】実公平３−２１２０８号公報
【発明の概要】
【発明が解決しようとする課題】
【０００４】
継続して測定される生体情報の変化に基づき生体情報の異常を的確に把握するためには、生体情報の測定条件の誤差を小さくすることにより、信頼性の高い生体情報を測定することが好ましい。測定条件の誤差を小さくするために、例えば、測定するごとに、同一の被検部位において生体情報を測定することが好ましい。
【０００５】
かかる事情に鑑みてなされた本発明の目的は、生体情報の信頼性を向上可能な測定装置及び測定方法を提供することにある。
【課題を解決するための手段】
【０００６】
上記課題を解決するため、本発明に係る測定装置は、
被検部位を接触部に接触させて生体情報を測定する測定装置であって、
被検者を特定可能な、前記被検者の生体に関する特定情報を記憶する記憶部と、
前記接触部に接触する前記被検部位から、前記被検者を認証する、前記被検者の生体に関する認証情報を取得する認証センサと、
測定光を射出する光源と、
前記被検部位からの前記測定光の散乱光を受光する受光部と、
前記受光部の出力に基づいて前記生体情報を生成する生体情報生成部と、
制御部とを備え、
前記制御部は、前記認証情報が前記特定情報に一致する場合、前記光源から前記測定光を射出させる。
【０００７】
前記制御部は、前記生体情報生成部が生成した前記生体情報を、前記認証情報により特定される前記被検者に対応付けて、前記記憶部に記憶させてもよい。
【０００８】
前記被検部位と前記接触部との接触状態に関する接触情報を取得する近接センサをさらに備え、
前記制御部は、前記接触情報に基づき、前記被検部位が前記接触部に接触していると判断した場合、前記光源から前記測定光を射出させてもよい。
【０００９】
前記制御部は、前記接触情報に基づき、前記被検部位が前記接触部から離れたと判断した場合、前記光源からの前記測定光の射出を停止させてもよい。
【００１０】
前記生体情報は、血流に関する情報を含んでいてもよい。
【００１１】
前記認証情報は、静脈パターンに関する情報を含んでいてもよい。
【００１２】
当該測定装置の筐体端から筐体中央に向かって、前記認証センサと前記受光部とが順に配置されていてもよい。
【００１３】
当該測定装置の筐体端に沿って、前記認証センサと前記受光部とが配置されていてもよい。
【００１４】
また、本発明は上述した測定装置に実質的に相当する方法としても実現し得るものであり、本発明の範囲にはこれらも包含されるものと理解されたい。
【００１５】
例えば、本発明に係る測定方法は、
被検部位を接触部に接触させて生体情報を測定するにあたり、
被検者を特定可能な、前記被検者の生体に関する特定情報を記憶するステップと、
前記接触部に接触する前記被検部位から、前記被検者を認証する、前記被検者の生体に関する認証情報を取得するステップと、
前記認証情報が前記特定情報に一致する場合、前記接触部に接触する前記被検部位に測定光を射出するステップと、
前記被検部位からの前記測定光の散乱光を受光するステップと、
前記散乱光に基づいて前記生体情報を生成するステップと
を含む。
【発明の効果】
【００１６】
本発明によれば、生体情報の信頼性を向上可能な測定装置及び測定方法を提供できる。
【図面の簡単な説明】
【００１７】
【図１】本発明の一実施の形態に係る測定装置の概略構成を示す機能ブロック図である。
【図２】図１の測定装置の使用状態の一例を示す図である。
【図３】生体センサ、認証センサ及び近接センサの配置の一例を示す図である。
【図４】制御部におけるレーザ光の射出制御の一例を示すフローチャートである。
【図５】生体センサ、認証センサ及び近接センサの配置の変形例を示す図である。
【発明を実施するための形態】
【００１８】
以下、本発明の一実施の形態について、図面を参照して詳細に説明する。
【００１９】
図１は、本発明の一実施の形態に係る測定装置の概略構成を示す機能ブロック図である。測定装置１０は、認証センサ１１と、近接センサ１２と、生体センサ１３と、接触部１４と、記憶部１５と、制御部１６と、生体情報生成部１７とを備える。
【００２０】
測定装置１０は、接触部１４に接触する被検部位における生体情報を測定する。図２は、測定装置１０の使用状態の一例を示す図であり、ユーザが、測定装置１０に被検部位である手の指を押し当てた状態を示す図である。測定装置１０は、様々な電子機器に搭載することができる。図２は、図１の測定装置１０を搭載した携帯電話機の一例を示す図である。図２（ａ）に示すように、携帯電話機３０は、その背面側に測定装置１０を備える。測定装置１０は、図２（ｂ）のように指が接触部１４に押し当てられた状態において、生体情報を測定する。生体情報は、生体センサ１３を使用して測定可能な任意の生体情報とすることができる。本実施の形態においては、測定装置１０は、一例として、血流に関する情報である被検者の血流量を測定するものとして、以下説明を行う。
【００２１】
図１において、認証センサ１１は、接触部１４に接触する被検部位から、被検者を認証する認証情報を取得する。認証情報は、被検者の生体に関する情報であり、例えば、被検者の被検部位における静脈パターンである。本実施形態では、認証情報は、静脈パターンに関する情報であるとして説明するが、認証情報は、静脈パターンに関する情報に限定されるものではなく、例えば指紋等の被検者を認証する被検者の生体に関する任意の情報とすることができる。
【００２２】
認証情報が静脈パターンに関する情報である場合、認証センサ１１は、認証センサ光源２３と撮像部２４とを有する。
【００２３】
認証センサ光源２３は、制御部１６の制御に基づいて、近赤外光を被検部位に照射する。認証センサ光源２３は、例えば、静脈に流れる所定の成分（例えば、赤血球中の還元ヘモグロビン）を検出可能な波長の近赤外光を、被検部位に照射するもので、例えば、ＬＥＤ（発光ダイオード：Light Emitting Diode）により構成される。
【００２４】
撮像部２４は、認証センサ光源２３が照射した近赤外光の、被検部位からの散乱光に基づき、被検部位の静脈パターンを撮像する。撮像部２４は、例えばＣＣＤカメラにより構成される。認証センサ光源２３が被検部位に照射した近赤外光は、静脈に流れる血液中の還元ヘモグロビンにより吸収されるため、撮像部２４が撮像する画像において、静脈パターンが暗く映し出される。このようにして、認証センサ１１は、認証情報を取得できる。
【００２５】
近接センサ１２は、被検部位と接触部１４との接触状態に関する接触情報を取得する。近接センサ１２は、近接センサ光源２５と、近接センサ受光部２６とを有する。
【００２６】
近接センサ光源２５は、制御部１６の制御に基づいて、接触部１４に近接する対象物に赤外光を照射する。近接センサ光源２５は、例えば、赤外光を被検部位に照射するＬＥＤにより構成される。
【００２７】
近接センサ受光部２６は、近接センサ光源２５が照射した赤外光の、被検部位からの散乱光を受光する。制御部１６は、例えば近接センサ受光部２６が受光した散乱光の強度、すなわち被検部位と接触部１４との接触状態に関する接触情報に基づいて、被検部位と接触部１４とが接触しているか又は接触していないかを判断する。
【００２８】
生体センサ１３は、被検部位から生体測定出力を取得する。本実施の形態のように、測定装置１０が血流量を測定する場合、生体センサ１３は、生体センサ光源２１と生体センサ受光部２２とを有する。
【００２９】
生体センサ光源２１は、制御部１６の制御に基づいてレーザ光を射出する。生体センサ光源２１は、例えば、血液中に含まれる所定の成分を検出可能な波長のレーザ光を、測定光として被検部位に照射するもので、例えばＬＤ（レーザダイオード：Laser Diode）により構成される。
【００３０】
生体センサ受光部２２は、生体測定出力として、被検部位からの測定光の散乱光を受光する。生体センサ受光部２２は、例えば、ＰＤ（フォトダイオード：Photo Diode）により構成される。生体センサ１３は、生体センサ受光部２２において受光した散乱光の光電変換信号を制御部１６に送信する。
【００３１】
接触部１４は、被検者が生体情報を測定するために、指等の被検部位を接触させる部分である。接触部１４は、例えば、板状の部材により構成される。接触部１４は、少なくとも認証センサ光源２３からの近赤外光、近接センサ光源２５からの赤外光及び生体センサ光源２１からの測定光、並びに、近赤外光、赤外光及び測定光の、被検部位からの散乱光に対して透明な部材により構成される。
【００３２】
記憶部１５は、半導体メモリ又は磁気メモリ等で構成することができ、各種情報や測定装置１０を動作させるためのプログラム等を記憶するとともに、ワークメモリとしても機能する。
【００３３】
記憶部１５は、被検者を特定可能な、被検者の生体に関する特定情報を、被検者と対応付けて記憶する。特定情報は、制御部１６により、認証センサ１１が取得した認証情報と照合されるものであり、認証情報に対応する情報である。従って、本実施の形態において、特定情報は、被検者の被検部位における静脈パターンである。記憶部１５は、複数の特定情報を、それぞれの被検者と対応付けて記憶していてもよい。
【００３４】
被検者は、測定装置１０を使用して生体情報を測定するにあたり、事前に記憶部１５に特定情報を登録する操作を行う。登録は、例えば測定装置１０が備える入力部を操作することにより、測定装置１０が特定情報の登録を行える状態とした上で、被検部位を接触部１４に接触させることにより行う。このとき測定装置１０の制御部１６は、認証センサ１１から近赤外光を照射し、撮像部２４で被検部位の静脈パターンを撮像する。制御部１６は、撮像した静脈パターンを、被検者と対応付けて記憶部１５に記憶する。
【００３５】
記憶部１５は、測定装置１０が測定した生体情報を、被検者に対応付けて記憶してもよい。記憶部１５は、このようにして被検者ごとに蓄積された生体情報を、履歴として記憶する。
【００３６】
制御部１６は、測定装置１０の各機能ブロックをはじめとして、測定装置１０の全体を制御及び管理するプロセッサである。制御部１６は、制御手順を規定したプログラムを実行するＣＰＵ（Central Processing Unit）等のプロセッサで構成され、かかるプログラムは、例えば記憶部１５又は外部の記憶媒体等に格納される。
【００３７】
制御部１６は、被検者が測定装置１０を使用して生体情報を測定する場合に、認証センサ１１が取得した認証情報に基づいて、生体センサ光源２１から射出される測定光を制御する。具体的には、制御部１６は、認証センサ１１が取得した認証情報が、記憶部１５に記憶された特定情報のいずれかに一致すると判断した場合、生体センサ光源２１から測定光としてのレーザ光を射出する。このようにして、制御部１６は、生体センサ１３における生体測定出力の取得を開始する。認証情報が特定情報と一致しない場合には、登録されている被検者が測定装置１０を使用していても、登録されていない部位が接触部１４に接触していたり、登録されている被検部位であっても、登録された状態とずれた状態で接触部１４に接触していることとなる。そのため、このように、制御部１６は、認証情報と特定情報とが一致した場合に生体測定出力の取得を開始することにより、生体情報を測定するごとに、同一の被検部位において生体情報を測定できる。よって、生体情報の測定条件の誤差を小さくすることができるため、生体情報の信頼性を向上可能である。静脈パターンは、被検者ごとに固有の情報であるため誤って認証されにくく、また被検者の身体の内部の情報であるため、偽造されにくい。さらに、静脈パターンは、老化及び怪我等の外的な変化による影響を受けにくいため、被検者は、登録した特定情報を長期間更新することなく測定装置１０を使用できる。
【００３８】
制御部１６は、認証センサ１１が取得した認証情報が、記憶部１５に記憶された特定情報のいずれとも一致しないと判断した場合、生体センサ光源２１からのレーザ光の射出を行わない。この場合、制御部１６は、測定装置１０が備える報知部１８から、エラー情報を報知してもよい。エラー情報は、例えば、生体情報の測定ができない旨又は認証情報が特定情報に一致しない旨を通知する情報である。エラー情報は、例えば、接触部１４に接触する被検部位の位置を移動するように指示する通知を含んでいてもよい。
【００３９】
報知部１８は、例えば、画像、文字若しくは発光等による視覚的な方法、音声等の聴覚的な方法、又はそれらの組み合わせにより報知を行うことができる。報知部１８は、視覚的な方法で報知を行う場合、例えば、表示デバイスとして、画像又は文字を表示することにより報知を行う。報知部１８は、例えば、ＬＥＤ等の発光素子を発光させることにより報知を行ってもよい。報知部１８は、聴覚的な方法で報知を行う場合、例えば、スピーカ等の音発生デバイスとして、アラーム音や音声ガイド等を出力することにより報知を行う。報知部１８が行う報知は、視覚的又は聴覚的な方法に限られず、被検者が認識可能な任意の方法であってもよい。本実施の形態のように、測定装置１０が携帯電話機３０に搭載されている場合には、制御部１６は、携帯電話機３０が有する報知機能部を報知部１８として使用してもよい。
【００４０】
制御部１６は、認証情報に加え、近接センサ１２が取得した接触情報に基づいて、生体センサ光源２１を制御する。具体的には、制御部１６は、接触情報に基づいて、被検部位が接触部１４に接触していると判断した場合、生体センサ光源２１から測定光としてのレーザ光を射出させる。
【００４１】
制御部１６は、認証情報に加え、接触情報に基づいて、生体センサ光源２１から射出される測定光を制御する場合、認証情報が記憶部１５の特定情報のいずれかに一致すると判断しても、被検部位が接触部１４に接触していないと判断すると、生体センサ光源２１からレーザ光を射出しない。このようにすることで、制御部１６は、接触部１４が被検部位によって確実に接触されている場合に、レーザ光を射出できる。レーザ光は、指向性が高く、波長及び位相が揃っているため、高いエネルギーを有するが、かかる制御部１６の制御により、接触部１４が被検部位によって覆われていない場合にレーザ光が射出されるのを防ぐことができる。そのため、例えばレーザ光が射出され、被検者の目に入る等の危険を回避しやすくなる。また、生体センサ１３が生体測定出力を取得していない間にレーザ光を射出しないことにより、不要な電力消費を抑えることができる。
【００４２】
制御部１６は、被検部位が接触部１４に接触していないと判断した場合、報知部１８から、被検部位が接触部１４に接触していない旨を報知してもよい。報知は、上述のエラー情報の報知において説明した方法により行うことができる。
【００４３】
制御部１６は、生体センサ光源２１からレーザ光を射出すると、生体センサ１３における生体測定出力の取得を開始する。そして、制御部１６は、生体センサ１３による生体測定出力の取得が終了したか否かを判定する。制御部１６は、例えば、生体センサ１３が生体測定出力の取得を開始してから、所定時間経過後に、生体測定出力の取得が終了したと判断してもよい。また、制御部１６は、例えば、生体センサ１３が、生体情報を測定するために十分な生体測定出力を取得したとき、生体測定出力の取得が終了したと判断してもよい。
【００４４】
制御部１６は、生体センサ１３における生体測定出力の取得を行っている間に、近接センサ１２における接触情報の取得を継続してもよい。制御部１６は、近接センサ１２が取得した接触情報に基づき、被検部位が接触部１４から離れたと判断した場合、生体センサ光源２１からの測定光の射出を停止させてもよい。これにより、制御部１６は、生体測定出力の取得中に被検部位が接触部１４から離れた場合に、レーザ光が誤射出されることを防止できる。
【００４５】
制御部１６は、生体測定出力の取得が終了したと判断すると、生体センサ光源２１からのレーザ光の射出を停止する。制御部１６は、生体センサ１３が取得した生体測定出力に基づいて生体情報生成部１７が生成した生体情報を、生体情報の測定にあたり認証センサ１１が取得した認証情報により特定される被検者に対応付けて、記憶部１５に記憶する。これにより、測定装置１０を複数の被検者が使用していても、被検者は、測定装置１０を使用して生体情報の測定を行うことによって、自らに対応付いた生体情報を自動的に記憶部１５に蓄積することができる。そのため、測定装置１０を複数の被検者が使用しても、被検者は、生体情報と自らとを対応付ける操作を行うという手間をかける必要がない。
【００４６】
生体情報生成部１７は、生体センサ受光部２２の出力（生体情報出力）に基づいて、生体情報を生成する。生体情報生成部１７は、図１に示すように、制御部１６とは異なる独立した機能部として、測定装置１０に構成されてもよく、また、制御部１６の一部として構成されてもよい。
【００４７】
ここで、生体情報生成部１７による、ドップラーシフトを利用した血流量測定技術について説明する。制御部１６は、血流量を測定する際に、生体の組織内（被検部位）に生体センサ光源２１からレーザ光を照射させ、生体センサ受光部２２により生体の組織内から散乱された散乱光を受光する。そして、生体情報生成部１７は、受光された散乱光に関する出力に基づいて血流量を演算する。
【００４８】
生体の組織内において、動いている血球から散乱された散乱光は、血液中の血球の移動速度に比例したドップラー効果による周波数シフト（ドップラーシフト）を受ける。生体情報生成部１７は、静止した組織からの散乱光と、動いている血球からの散乱光との光の干渉によって生じるうなり信号（ビート信号ともいう）を検出する。このうなり信号は、強度を時間の関数として表したものである。そして、生体情報生成部１７は、このうなり信号を、パワーを周波数の関数として表したパワースペクトルにする。このうなり信号のパワースペクトルでは、ドップラーシフト周波数は血球の速度に比例し、パワーは血球の量に対応する。そして、生体情報生成部１７は、うなり信号のパワースペクトルに周波数をかけて積分することにより血流量を求める。
【００４９】
図３は、生体センサ１３、認証センサ１１及び近接センサ１２の配置の一例を示す図であり、図２における携帯電話機３０の背面側から接触部１４を見た場合の図である。各センサは、図３（ａ）の下（すなわち、携帯電話機３０の筐体端）から、筐体中央に向かって、認証センサ１１、近接センサ１２及び生体センサ１３の順で縦方向に配置されている。図３に示されるように、携帯電話機３０の筐体端から認証センサ１１、近接センサ１２及び生体センサ１３が順に配置されていることで、ユーザが指を接触部１４に載せた際に、指の第２関節が携帯電話機３０の筐体端辺にひっかかりやすくなる。そのため、ユーザは指を接触部１４に固定しやすくなる。
【００５０】
また、図３に示されるように、携帯電話機３０の筐体端から認証センサ１１、近接センサ１２及び生体センサ１３が順に配置されていることで、ユーザの指の第１関節が認証センサ１１に近づく。すなわち、認証センサ１１は、ユーザの指の第１関節及びその近傍において認証情報を取得する。指の関節及びその近傍では、認証情報が取得しやすいため、上記配置により、撮像部２４によるユーザの指の静脈パターンの撮像が容易になり、認証センサ１１の認証精度を向上させることができる。
【００５１】
図３（ｂ）は、接触部１４に被検部位を接触させた状態を示す。例えば、被検者が、図３（ｂ）に示す状態において、特定情報の登録を行ったとする。被検者は、測定装置１０を使用する場合、接触部１４において、被検部位を、特定情報の登録を行った図３（ｂ）と同じ位置に接触させなければ、認証情報と特定情報とが一致しなくなるため、生体情報を測定できない。一方、被検者が、認証情報と特定情報とが一致するように被検部位を接触部１４に接触させた場合、被検部位において同じ部位が生体センサ１３に対応する位置に配置される。そのため、被検者は、生体情報を測定するごとに、同一の被検部位において生体情報を測定できる。よって、生体情報の測定条件の誤差を小さくすることができるため、生体情報の信頼性を向上可能である。
【００５２】
次に、制御部１６が生体センサ光源２１に対して行うレーザ光の射出制御の一例について、図４に示すフローチャートを参照して説明する。図４に示すフローは、例えば、測定装置１０に対する操作によって、測定装置１０が血流量を測定可能な状態となった場合に開始される。このフローのスタートの段階において、生体センサ光源２１からレーザ光は射出されていない。
【００５３】
制御部１６は、認証センサ１１及び近接センサ１２を起動して、それぞれ認証情報及び接触情報を取得できる状態にする（ステップＳ１０１）。
【００５４】
制御部１６は、認証センサ光源２３から近赤外光を被検部位に照射することにより、認証センサ１１において認証情報を取得する（ステップＳ１０２）。
【００５５】
制御部１６は、認証センサ１１において取得した認証情報が、記憶部１５に記憶された特定情報と一致するか否かを判断する（ステップＳ１０３）。
【００５６】
制御部１６は、認証情報が特定情報と一致しないと判断した場合（ステップＳ１０３のＮｏ）、エラー情報を報知する（ステップＳ１０４）。エラー情報が、例えば、接触部１４に接触する被検部位の位置を移動するように指示する通知を含んでいる場合、被検者は、指示に基づいて接触部１４に接触する被検部位の位置を移動する（ずらす）ことができる。そして、制御部１６は、被検部位の位置が移動した状態で、再び認証センサ１１において認証情報を取得する（ステップＳ１０２）。
【００５７】
制御部１６は、認証情報が特定情報と一致すると判断した場合（ステップＳ１０３のＹｅｓ）、認証センサ１１の駆動を停止する（ステップＳ１０５）。
【００５８】
次に、制御部１６は、近接センサ光源２５から赤外光を被検部位に照射することにより、近接センサ１２から接触情報を取得する（ステップＳ１０６）。
【００５９】
制御部１６は、近接センサ１２において取得した接触情報に基づき、被検部位が接触部１４に接触しているか否かを判断する（ステップＳ１０７）。
【００６０】
制御部１６は、被検部位が接触部１４に接触していないと判断した場合（ステップＳ１０７のＮｏ）、被検者に、被検部位が接触部１４に接触していない旨を報知する（ステップＳ１０８）。そして、フローは、ステップＳ１０６に移行する。
【００６１】
制御部１６は、被検部位が接触部１４に接触していると判断した場合（ステップＳ１０７のＹｅｓ）、生体センサ光源２１からレーザ光を射出する（ステップＳ１０９）。レーザ光の射出により、生体センサ１３による生体測定出力の取得が開始される。
【００６２】
制御部１６は、生体センサ１３による生体測定出力の取得が終了したか否かを判断する（ステップＳ１１０）。
【００６３】
制御部１６は、生体測定出力の取得が終了していないと判断した場合（ステップＳ１１０のＮｏ）、近接センサ１２から接触情報を取得する（ステップＳ１１１）。
【００６４】
制御部１６は、近接センサ１２において取得した接触情報に基づき、被検部位が接触部１４に接触しているか否かを判断する（ステップＳ１１２）。
【００６５】
制御部１６が、被検部位が接触部１４に接触していると判断した場合（ステップＳ１１２のＹｅｓ）、フローは、ステップＳ１１０に移行する。
【００６６】
一方、制御部１６は、被検部位が接触部１４に接触していないと判断した場合（ステップＳ１１２のＮｏ）、生体センサ光源２１からのレーザ光の射出を停止する（ステップＳ１１３）。そして、フローは、ステップＳ１０６に移行する。
【００６７】
ステップＳ１１０において、制御部１６は、生体測定出力の取得が終了したと判断した場合（ステップＳ１１０のＹｅｓ）、生体センサ光源２１からのレーザ光の射出を停止する（ステップＳ１１４）。
【００６８】
制御部１６は、近接センサ１２の駆動を停止する（ステップＳ１１５）。このようにして、生体センサ１３における生体測定出力の取得が終了する。
【００６９】
生体測定出力の取得が終了すると、生体情報生成部１７が、生体測定出力に基づいて生体情報を生成する。
【００７０】
なお、本発明は、上記実施の形態にのみ限定されるものではなく、幾多の変形または変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００７１】
上記実施の形態では、被検部位が指であるとして説明したが、被検部位は指に限られない。被検部位は、例えば手のひら等、指以外の部位であってもよい。被検部位が手のひらである場合、被検者は、生体情報の測定を行う際に、接触部１４に手のひらを接触させる。認証センサ１１は、手のひらの静脈パターンを認証情報として取得し、制御部１６は、手のひらの認証パターンに基づいて、生体センサ光源２１からのレーザ光の射出を制御する。
【００７２】
認証センサ１１、近接センサ１２及び生体センサ１３の各センサの配置は、図３に示す例に限られない。認証センサ１１、近接センサ１２及び生体センサ１３は、それぞれその機能を果たしうる任意の位置に配置できる。例えば、近接センサ１２は、被検部位と接触部１４との接触状態に関する接触情報を取得できる任意の位置に配置できる。具体的には、近接センサ１２は、例えば生体センサ１３の周囲近傍に配置できる。
【００７３】
測定装置１０は、各センサの配置によっては、必ずしも上記実施の形態のように１本の指を接触させるものでなくてもよい。測定装置１０は、複数の指を接触させることにより、生体情報を測定してもよい。
【００７４】
図５は、生体センサ１３、認証センサ１１及び近接センサ１２の配置の変形例を示す図である。図５に示す例では、認証センサ１１及び近接センサ１２が縦方向に並んで配置されており、生体センサ１３が認証センサ１１と横に並ぶ位置に配置されている。すなわち、生体センサ１３と認証センサ１１とは、携帯電話機３０の筐体端に沿って配置されている。各センサが図５に示すように配置されている場合、被検者は、２本の指を接触部１４に接触させて、生体情報を測定する。例えば、被検者は、接触部１４において、右手の人差し指を生体センサ１３に対応する位置に接触させ、右手の中指を認証センサ１１及び近接センサ１２に対応する位置に接触させる。制御部１６は、中指における認証情報及び接触情報に基づいて、生体センサ光源２１から人差し指に照射するレーザ光の射出を制御する。測定装置１０では、このようにして制御部１６が人差し指から生体測定情報を取得し、生体情報生成部１７が生体測定情報に基づいて生体情報を生成する。
【００７５】
上記実施の形態においては、携帯電話機３０が測定装置１０を搭載する場合について説明したが、測定装置１０が搭載される電子機器は、携帯電話機３０に限られない。例えば、パーソナルコンピュータ、コンピュータ操作用マウス、ミュージックプレイヤ、腕時計、タブレット端末、ゲーム機、入退室管理装置等の多岐にわたる任意の電子機器に測定装置１０を搭載できる。
【００７６】
生体情報の測定は、被検者が測定装置１０に対して生体情報を測定することを開始する操作を行うことにより開始されるものであってもよい。例えば、生体情報の測定は、被検者が、測定装置１０が搭載された携帯電話機３０を使用して生体情報を測定するための専用アプリケーションを起動させることにより、開始されてもよい。この場合、専用アプリケーションが起動されると、図４のフローが開始される。
【００７７】
生体情報の測定は、被検者が測定装置１０に対して生体情報を測定するための操作を行わない場合に開始されるものであってもよい。例えば、静脈パターンの認証によりロックの解除を行う携帯電話機に測定装置１０が搭載されている場合、被検者がロック解除操作を行う際に、測定装置１０は、静脈パターンの認証と共に、生体情報の測定を行ってもよい。パーソナルコンピュータ等におけるログイン操作においても、同様の方法で生体情報の測定を行うことができる。このような場合、制御部１６は、ロック解除操作画面又はログイン画面等が表示されると、図４のステップＳ１０１に示すように、認証センサ１１及び近接センサ１２を起動して、それぞれ認証情報及び接触情報を取得できる状態にする。このようにして生体情報の測定を行うことにより、被検者が意識することなく、容易に生体情報を測定し、測定結果を蓄積できる。例えば、被検者が、毎日ほぼ同じ時間にパーソナルコンピュータのログイン操作を行う場合には、測定装置１０は、毎日ほぼ同じ時刻の定期的な生体情報を蓄積できる。
【００７８】
上記実施の形態では、測定装置１０が備える生体情報生成部１７が、生体センサ受光部２２の出力に基づいて生体情報を生成すると説明したが、生体情報の生成は、測定装置１０が備える生体情報生成部１７が行う場合に限られない。例えば、測定装置１０と、有線若しくは無線又はこれらの組み合わせからなるネットワークで接続されたサーバ装置が、生体情報生成部１７に相当する機能部を備え、生体情報の生成は、この機能部を有するサーバ装置で行われてもよい。この場合、測定装置１０は、認証センサ１１により認証情報を取得して、取得した認証情報を、別途備える通信部からサーバ装置に送信する。サーバ装置は、受信した認証情報が、サーバ装置が備える記憶部に格納された特定情報と一致するか否かを判断する。判断結果を測定装置１０に送信する。一致しない場合には、測定装置１０は、エラー情報を報知する。一方、一致する場合には、測定装置１０は、生体センサ光源２１からレーザ光を射出することにより、生体センサ１３から生体情報出力を取得する。測定装置１０は、取得した生体情報出力を、別途備える通信部からサーバ装置に送信する。サーバ装置は、生体情報出力に基づいて生体情報を生成し、生成した生体情報を、認証情報により特定される被検者に対応付けて、記憶部に記憶する。このように、サーバ装置が生体情報を生成し、特定情報及び生体情報を記憶する場合、図１に示す全ての機能部を１つの測定装置１０上で実現する場合に比べて、測定装置１０の小型化等を実現することができる。
【符号の説明】
【００７９】
１０  測定装置
１１  認証センサ
１２  近接センサ
１３  生体センサ
１４  接触部
１５  記憶部
１６  制御部
１７  生体情報生成部
１８  報知部
２１  生体センサ光源
２２  生体センサ受光部
２３  認証センサ光源
２４  撮像部
２５  近接センサ光源
２６  近接センサ受光部
３０  携帯電話機
【図１】
0006356524.tif 000002
【図２】
0006356524.tif 000003
【図３】
0006356524.tif 000004
【図４】
0006356524.tif 000005
【図５】
0006356524.tif 000006